(57)【要約】      （修正有）【課題】服用１回分として多数個の薬剤を包装シートから簡単に取り出して服用できるようにする用具を提供する。【解決手段】手で把持できる大きさの容器本体２の開口側に、容器本体２胴部の一部を延長して形成される凹湾曲面をした戸樋部３を備え、容器本体２の開口部にその開口を一部遮るように垂下する垂れ片４が付された構成で、容器本体２を片手で持って他方の手で薬剤包装シートを持ち、その薬剤包装シートを破封して薬剤を戸樋部３に落とすことで散逸することなく容器本体２内に収容でき、１回の服用分の薬剤を容器本体２に集めてそのまま口に運んで服用できるように構成した用具である。【選択図】図３
0003197130.tif 000002
【実用新案登録請求の範囲】
【請求項１】
横断面が半円形状もしくは楕円形状の胴体で軸線方向の一端を閉じた容器本体と、この容器本体軸線方向の解放された他端で本体胴部一部を延長してその端部を円弧状に突き出す戸樋部と、前記本体胴部の開口端で胴部の内面と隙間が形成されるようにして垂下させた垂れ片とでなり、所要数の包装シートから取り出す薬剤を前記戸樋部にて受け止めて容器本体内に導入して収容し、所定数の薬剤を収容した後そのまま戸樋部から経口し服用できるように構成されていることを特徴とする薬剤の服用を容易にする用具。
【請求項２】
前記垂れ片は、前記戸樋部の手前で容器本体の開口部を覆うように胴部開口端で垂下して、容器本体の内側へやや傾斜するように形成されている請求項１に記載の薬剤の服用を容易にする用具。
【請求項３】
前記容器本体の開口端で胴部の一部を突出させ、この突出部分で薬剤包装シートの薬剤収容部を破り薬剤を取り出す破封突片となるように形成されている請求項１に記載の薬剤の服用を容易にする用具。
【請求項４】
プラスチックシートに展開した状態で折目線を設けるとともに切抜き可能にプリントし、切抜き線に沿って切抜いたものを折目線に沿って折り曲げ組み立てると用具が形成されるようにする請求項１に記載の薬剤の服用を容易にする用具。
【考案の詳細な説明】
【技術分野】
【０００１】  この考案は、投薬された複数の錠剤やカプセルなどを、服用する前にブリスターパックされた薬剤を散逸させることなく取出して、まとめて服用するのを容易にする、簡単な構成の薬剤の服用を容易にする用具に関するものである。
【背景技術】
【０００２】  一般に、医療の診療機構（病院や医院など）で診察を受けた患者に対して処方され提供される治療薬は、高齢者や多くの疾患を治療している患者の場合、最近では複数種の薬剤が処方されることから、毎日処方に従って一回に多数の薬剤をまとめて服用することが多く見受けられる。【０００３】  この医療の診療所（病院や医院）で処方されて患者に提供される薬剤は、主に錠剤やカプセルによるものであり、それら錠剤やカプセル入りの薬剤は通常ブリスターパックされたシート状のもので提供され、１錠（１カプセル）ずつ取り出して服用するものが取扱上簡便なことから採用されている。そのために、患者は服用時に多数の薬剤（錠剤など）を都度対応する薬剤の包装されたシート上から、１錠ずつブリスター部分（薬剤の収容部）を押して台紙部分を破って取り出す必要がある。この際、よく取り出された薬剤（錠剤）が予期せぬ場所に散逸して集めるのに手間がかかる。また、取出した錠剤を紛失することなど不都合が生じたり、衛生的にも問題がある。【０００４】  このようなブリスターパックされた薬剤のシートから包装されている薬剤（錠剤）を紛失することなく衛生的に取り出す容器について、例えば特許文献１によって知られるものがある。この容器は、開口端をブリスターパックシートに収まっている錠剤（カプセル）個所の台紙裏面に当てがい、表面側のブリスター部分を指で押さえることにより収容されている錠剤が台紙を破って容器内に落下し取り出すことができる構造になっている。そして、収容した容器の開口部を閉じるためのキャップ色分けしておき、薬剤に服用時間を判別できるようにしたものである。【０００５】  また、ブリスターパックされた錠剤を、上下方向から挟んでその上側の押圧板を押さえるとパックされた錠剤１錠が箱型をした容器内に取り出されるようにして押さえ板と一体に形成された摺動板が箱型の容器の蓋となる構造にされ、携帯することもできる錠剤パックオープナーと称するものが特許文献２によって開示されている。【０００６】  さらに、複数の薬剤を服用１回分収容して携行できるようにした容器についての提案が特許文献３によって開示されている。この容器は容器本体の開口部を覆う蓋体の中央部に錠剤などを押し込むことにより収容できる放射状の切込みを周囲に設けた挿入孔が設けたあり、挿入孔から容器本体内に投入された錠剤などは外部にこぼれださないようにして携帯できるものである。使用時には蓋体を取り外して収容した薬剤などをそのまま口に運んで服用できるというものである。【０００７】  しかしながら、前記特許文献１によって知られる容器は、薬剤の包装シート（ブリスターパック）を挟んでその錠剤包装部分（ブリスター部）を押すことにより包装シートの下側にあてがった容器内に錠剤を落下させて受け入れる形式のものであるから、取出しのために容器の位置合わせをしてから取出し操作を行う必要があり、簡単なようでも複数種の薬剤を取り出すには、いちいち前記取出しの操作を行わねばならず手数を要する。また、１回の服用分を正しく容器に収めるには、間違いなく１回の服用分を容器内に入れ、かつ朝・昼・夕と予め取り出すことによってのみキャップの色分けで服用分を区別することになり、例えば老齢者が使用する場合、介助者などが仕分けする分には都合よく利用できるが、十分に服用の識別ができる人の場合には少なくとも２〜３個の容器を準備することの必要性もなく、一見便利であるようであるが、複数の容器を用いるという点で問題がある。【０００８】  また、特許文献２によって開示される錠剤パックオープナーは、携帯することを前提とする場合、異なる種類の薬剤を取り出して収容するには、これまたばね性を備える押圧板と一体の摺動板を移動させて容器の薬剤収容位置に対応させることになり、しかも薬剤を取り出すには再び摺動板を移動させて必要な薬剤を取り出さねばならず、取扱いが不便である。さらに構造が複雑になって意外と高価なものとなり、携帯しない場合には異なる種類の薬剤を取り出すためにブリスターパックを取り換えて取出しの操作を行わねばならず、多数の薬剤を服用するにしては全般的に取扱不便であるなどの問題点がある。【０００９】  さらに、特許文献３によって開示されている薬剤収納器は、構造的に簡単であるが複数の薬剤（錠剤など）を一旦１服用分容器内に取り出して携帯するには便利であるが服用時蓋体を外して容器内から収容した薬剤を取出し服用することになるので、取扱いが容易な患者である場合に有効であっても、老齢者で介助が必要となる人には適当でない。
【先行技術文献】
【特許文献】
【００１０】
【特許文献１】  特開２０１０−１３２３４６号公報
【特許文献２】  特開平１１−１３００２５号公報
【特許文献３】  特開平１０−１４６３７７号公報
【考案の開示】
【考案が解決しようとする課題】
【００１１】  そこで、この考案では、処方された多数の薬剤を１回分服用する際に、薬剤の包装シートの取出し位置の下側にてシートから押し出した薬剤が直接受け止めると同時に容器内に転がり込んで外部には飛散しないで必要数の薬剤を受け入れることができ、所要数の錠剤を受け入れた容器をそのまま口に当てがい容器を傾けると直接服用できる簡単な構成で軽便に取り扱えるようにした薬剤の服用を容易にする用具を提供するものである。
【課題を解決するための手段】
【００１２】  前記目的を達成するために、この考案の薬剤の服用を容易にする用具は、
横断面が半円形状もしくは楕円形状の胴体で軸線方向の一端を閉じた容器本体と、この容器本体軸線方向の解放された他端で本体胴部一部を延長してその端部を円弧状に突き出す戸樋部と、前記本体胴部の開口端で胴部の内面と隙間が形成されるようにして垂下させた垂れ片とでなり、所要数の包装シートから取り出す薬剤を前記戸樋部にて受け止めて容器本体内に導入して収容し、所定数の薬剤を収容した後そのまま戸樋部から経口して服用できるように構成されていることを特徴とするものである。【００１３】  前記考案における垂れ片は、前記戸樋部の手前で容器本体の開口部を覆うように胴部開口端で垂下して、容器本体の内側へやや傾斜するように形成されているのがよい。【００１４】  また、前記容器本体の開口端で胴部の一部が戸樋部側に突出させて、この突出部部分で薬剤包装シートの薬剤収容部から薬剤を取り出す破封突片となるように形成されているのがよい。【００１５】  さらに、前記薬剤の服用を容易にする用具は、プラスチックシートに展開した状態で折目線を設けるとともに切抜き可能にプリントし、切抜き線に沿って切抜いたものを折目線に沿って折り曲げ組み立てると用具が形成されるようにすることができる。
【考案の効果】
【００１６】  この考案の薬剤の服用を容易にする用具によれば、ブリスターパックされた薬剤の包装体シートから薬剤を取り出す際に、片手で用具の容器本体部分を掴むようにして持ち、他方の手で前記包装シートを持ち用具の戸樋部の上に位置させてブリスター部分を指で押し下げると、内包された薬剤（錠剤）が戸樋部に落下してそのまま容器本体の内部に転がり込み収容される。こうして薬剤の包装シートから取り出される薬剤を確実に容器本体内に集めることができ、容器本体内に受け入れた薬剤は用具の戸樋部を服用者の口にあてがうようにして用具を持ち上げ傾斜させると、容器本体内から薬剤がそのまま口中に流入して服用することができる。したがって、多数種の薬剤を散逸することなく確実に１回分として服用でき、かつ、直接薬剤に手を触れることなく衛生的に取り扱うことができるという効果を奏する。
【図面の簡単な説明】
【００１７】
【図１】  図１はこの考案に係る薬剤の服用を容易にする用具の一実施形態を表す全体外形図を表している。
【図２】  図２は図１における容器本体部分の横断面図を示している。
【図３】  図３は縦断面図である。
【図４】  図４は使用の一態様を表わす図で、（ａ）は斜視図で表すものであり、（ｂ）は使用状態での縦断面図である。
【図５】  図５はこの考案の薬剤の服用を容易にする用具をプラスチックシートに展開したものを表わす図である。
【図６】  図６（ａ）〜（ｃ）は、プラスチックシートから切り出した状態から組立て用具を形成する態様を表す図である。
【考案を実施するための形態】
【００１８】  次に、この考案による薬剤の服用を容易にする用具の具体的な実施の形態について、図面を参照しつつ説明する。
【００１９】  この実施形態の薬剤の服用を容易にする用具１は、プラスチックで横断面半円形状にして使用者が片手で握れる程度の外形に形成され、軸線方向に一端に底部２ａを有し反対端を開放した容器本体２と、この容器本体２の開口端２ｂに容器本体２の胴部２′を延長して形成される戸樋部３と、この戸樋部３の上側で容器本体２の開口端２ｂから垂下して形成される垂れ片４とで構成されている。
【００２０】  前記容器本体２は、軸線方向に片手で握って保持できる長さ寸法にして、前述のように、横断面半円形状で円弧部と平坦部（天板部２ｃ）とからなる胴部２′にされ、その軸線方向の後端部に底部２ａが形成されて、前端部の開口部分において胴部２′の円弧部分の一部を軸線方向に所定寸法延長した部分が戸樋部３となっている。
【００２１】  前記戸樋部３は、容器本体２の胴部２′における円弧部分の幅Ｌより狭い幅寸法Ｌ′にて先端部を円弧状に形成されている。また、前記容器本体２の平坦な胴部（天板部２ｃ）の開口端２ｂには、円弧状胴部内面部３に向かって垂下するようにして垂れ片４が設けてある。この垂れ片４は、円弧状の胴部２′内面と所定の寸法隙間がるように端縁４ａを形成されており、この垂れ片４は容器内側に僅かに傾斜するように折り曲げられた形状である。なお、前記垂れ片４の端縁４ａと胴部２′内面との隙間は取り込む薬剤（錠剤など）が滑り込む（放出）のに支障がない程度の寸法になるよう設定される。
【００２２】  また、前記容器本体２の開口端２ｂ両側には、円弧状胴部２′の一部を前記垂れ片４取付け部より適宜寸法突き出して両側に突出させて、この突出部分で薬剤包装シート（ブリスターパック）の薬剤収容部におけるシート面を突き破って薬剤の取出しを容易にする破封突片５が形成してある。
【００２３】  このように構成された薬剤の服用を容易にする用具１は、患者が処方された１回分としての複数の薬剤を服用するに際し、図４にて示すように、用具１の戸樋部３が下側に位置するようにして容器本体２部分を片手で握り、その底部２ａが下向きになるように傾斜させて持つようにするのが好ましい。一方、他方の手で薬剤の包装シート３０をもって薬剤Ａが取り出せる態勢で薬剤収容部分３１（ブリスター部分）を用具１の戸樋部３の上側に位置させる。そして、前記薬剤収容部分３１を上から押しつぶすように力を加えると、封鎖しているシート個所が破れて収容されていた薬剤Ａが用具１の戸樋部に落下する。
【００２４】  戸樋部３に落下した薬剤Ａは、その戸樋部３が容器本体２の内面に繋がっているからこぼれることなく、そのまま転がって容器本体２の内部に受け入れられる。この戸樋部３から容器本体２内に転がり込む薬剤Ａは、容器本体２の開口部に垂れ片４が設けられているので、落下した反動で容器内の底２ａに接して跳ねることがあっても垂れ片４によって外側に飛び出すのを阻止されてこぼれることがない。また、戸樋部３が凹曲面になっているので食み出すことなく容器本体２内に集められる。なお、垂れ片４は、その端縁４ａが容器本体２の胴部内周面と薬剤Ａ（錠剤）が通過できる程度の隙間を造って垂下させておくことにより、容器本体２内に転がり込んだ錠剤がはずみで外へ転がり出すのを阻止するものである。また、垂れ片４を容器本体２の内側へ少し傾斜するようにしておくことで、包装シート３０から取り出された薬剤Ａが戸樋部３に受け止められて跳ねることがあっても容器本体２の内部に誘導され易くなり、外部に漏れるのを予防する効果がある。
【００２５】  複数の薬剤を服用のために取り出す場合、前記の要領にて用具１で受けた状態で順次薬剤包装シート３０から１錠ずつ取出すと、薬剤Ａを外部に落としたりすることはなく、この用具内に１回の服用分が収容されることになる。
【００２６】  こうして１回分取り出した薬剤Ａは、容器本体２の内部に収容されているので、そのまま戸樋部３側に傾けて服用者の口にあてがうようにすれば、内部から戸樋部３を伝って口の中に落とし込むことができる。
【００２７】  このように、この実施形態の用具１によれば、１回の服用に当たり多数の薬剤Ａ（錠剤やカプセル入りの薬剤）を取り出して服用の準備を行うとき、用具１の戸樋部３上側で薬剤包装シート３０（ブリスターパックのシート）から必要数の薬剤Ａを、薬剤収容部分３１（ブリスター）を手指で押し潰すことにより、確実に容器本体２の内部に収容でき、従来のように散逸して服用に事欠くのを防止でき、かつ直接手指を触れないで用具１から一度に口腔内に取り込むことが可能になる。したがって、衛生的に処理することができる。
【００２８】  次に、図５に示されるのは、この考案による薬剤の服用を容易にする用具１をプラスチックシート５０上に展開して印刷したものを切抜いて組み立てることにより前述の実施形態のものと同様な形状にして使用に供することができるものである。なお、各部位については前記実施形態の用具１にて付した符号と同一で表している。
【００２９】  この実施形態では、図５に示されるように、例えばＡ４版寸法のプラスチックシート５０（好ましくは、やや厚手の透明または半透明のシート）上にプリントしたものであり、展開した形状が所定寸法で方形の容器本体２の胴部を形成するうちの天板部分２ｃを基準にして、その軸線方向の一端に折り線ｂを介して半円形をした底板部２ａを連接し、反対端には前記底板部２ａより高さ寸法がやや低い扁平な半円状の垂れ片４のなる部分が折り線ｃを介して連接される。
【００３０】  前記天板部分２ｃの一方の側部には、折り線ｄを介して一辺が前記底板部２ａの半円周の長さに相当する寸法で、前記折り線ｄに並行する側辺が前記天板部分２ｃの側辺長さＢより少し長いＣ寸法の方形をした胴板部２′が連接され、この胴板部２′は軸線方向の後端が前記天板部分２′の底板部２ａ連接折り線ｂとほぼ一致するようにし、反対端には胴板部２′の軸方向中心線に円弧中心が合致する所要寸法の半径で描く半円状の戸樋部３が形成されている。なお、前記胴板部２′の外側部における中間には、所定の間隔で細幅の矩形状にした差込み片２１が２か所設けられ、天板部分２ｃの外側部に前記差込み片２１を挿入して組み立てられる差込み用切込み２２が対応する位置に設けてある。また、前記底板部２ａの頂端位置にも差込み片２１が設けられ、この差込み片２１に対応するようにして前記胴板部２′の後端縁に差込み用切込み２２が設けてある。
【００３１】  この実施形態による場合、図６（ａ）〜（ｃ）で示すように、プリントされたプラスチックシート５０から用具１の輪郭を示す切取り線５２に沿って用具の展開されたものを切り出し、次いで折り線ｄに沿って天板部分２ｃと胴板部２′とを内折りし、さらに折り線ｂに沿って底板部２ａを内折りする。その後に、胴板部２′を底板部２ａの縁に合わせるように湾曲させる。この状態で胴板部２′の側縁に位置する差込み片２１を、天板部分２ｃに設けた差込み用切込み２２に差し込んで内側に折込み別途用意した接着テープ２６で天板部分２ｃの側縁と胴板部２′の縁とを繋ぎ合わせる。また、内折りした底板部２ａに付されている差込み片２１を胴板部２′の縁に設けた差込み用切込み２２に差し込んで胴板部２′の外面に沿わせるように折り曲げる。その後に別途用意した接着テープ２６によって胴板部２′の縁と底板部２ａとを繋ぎ合わせる。
【００３２】  このようにすると、胴板部２′と天板部分２ｃとが連結され、かつ底板部２ａとも結合して容器本体２が組み立てられる。その後は天板部分２ｃの折り線ｃに沿って垂れ片４を下向きに折り曲げることにより用具１が完成する。なお、戸樋部３は、胴板部２′の延長された部分であるから湾曲する際に、同じ曲率で同時に湾曲する。
【００３３】  こうしてプリントされたシートから切り抜いて組み立てられたものであっても、前述の実施形態の用具１と同じ構造となるので、使用に際しては前述のようにして無理なく使用できる。
【００３４】  この実施形態のように、プラスチックシートに印刷したものを切抜いて用具が組み立てられるようにしておけば、例えば、図示省略するがシートの空白部分に組立に関する説明を記載しておくことにより組み立て操作を容易にすることができる。また、このような態様のシートにすれば、医療に関するパンフレットや雑誌などの付録として使用し、ユーザーに対する提供を容易にする。
【００３５】  この考案の趣旨に則すれば、この用具を一体成型する場合に容器本体の胴部を断面楕円形にすることも可能である。
【符号の説明】
【００３６】１          用具
２          容器本体
２′        胴部
２ｃ        天板部
３          戸樋部
４          戸樋部
５          破封突片
３０        薬剤包装シート
３１        薬剤包装部
５０        プラスチックシート
Ａ          薬剤
【図１】
0003197130.tif 000003
【図２】
0003197130.tif 000004
【図３】
0003197130.tif 000005
【図４】
0003197130.tif 000006
【図５】
0003197130.tif 000007
【図６】
0003197130.tif 000008